(57)【特許請求の範囲】
【請求項１】
薬粉を投与するために薬粉通路が形成された投薬器本体と、該投薬器本体に設けられ、１回分の薬粉を充填する薬粉充填室と、該薬粉充填室に１回分の薬粉を圧縮した状態に押込む薬粉押込み手段と、該薬粉押込み手段によって薬粉充填室に押込まれた薬粉塊を前記投薬器本体の薬粉通路に分配するように切換える切換手段とからなる投薬器において、
前記薬粉収容室には、前記薬粉充填室に押込まれた一回分の薬粉塊内に空隙を形成するブロック体を設け、
前記ブロック体は、前記薬粉収容室のほぼ中央に配設されたブロック本体と、該ブロック本体を前記薬粉収容室内に固定するリブとから構成したことを特徴とする投薬器。
【請求項２】
前記リブは、該リブを通過した薬粉を当該リブの下流側に回り込ませるために、前記薬粉充填室との間に離間寸法をもって配置してなる請求項１に記載の投薬器。
【請求項３】
前記ブロック本体は多角形状に形成し、当該多角形状をなしたブロック本体の角隅部に前記リブを取付ける構成としてなる請求項１または２に記載の投薬器。
【発明の詳細な説明】
【０００１】
【発明の属する技術分野】
本発明は、例えば、粉体状ないし顆粒状の薬粉を患者に投与するのに用いて好適な投薬器に関する。
【０００２】
【従来の技術】
一般に、喘息患者等の肺に薬品を投与する方法には、薬液を注射する方法、液体エアゾール噴霧器で吸引する方法、微細な粉体状ないし顆粒状の薬粉（例えば、粒径５〜１０μｍ）を吸入する方法等がある。また、これらの投薬方法のうち薬粉を吸入する方法には、カプセル内に充填された薬粉を当該カプセルを破断することによって吸入する方法と、複数回分の薬粉を予め収容し、投薬毎に１回分の薬粉を計量しつつ取り出して吸入する方法とが用いられている。
【０００３】
ここで、投薬毎に１回分の薬粉を取り出して吸入する方法を用いた投薬器としては、例えば、特開平９−５１９４８号公報（以下、従来技術という）に示すものが知られている。
【０００４】
この従来技術による投薬器は、薬粉を投与するために薬粉通路が形成された投薬器本体と、該投薬器本体に設けられ、１回分の薬粉を充填する薬粉充填室と、該薬粉充填室に１回分の薬粉を圧縮した状態に押込む薬粉押込み手段と、該薬粉押込み手段によって薬粉充填室に押込まれた薬粉塊を前記投薬器本体の薬粉通路に分配するように切換える切換手段とから構成されている。
【０００５】
そして、この投薬器を用いて投薬を行う場合には、まず、薬粉押込み手段によって薬粉充填室に一回分の薬粉を押込み、この状態で、切換手段によって薬粉充填室を薬粉通路側に切替え、薬粉塊を該薬粉通路の途中に配置する。これにより、患者は、薬粉通路に連通する吸入口をくわえ、該吸入口から息を吸込むことにより、薬粉通路を流通する空気によって薬粉充填室に充填された薬粉塊を破砕、分散し、この分散した薬粉を空気と共に肺内に吸入する。
【０００６】
【発明が解決しようとする課題】
ところで、上述した従来技術による投薬器では、薬粉を薬粉押込み手段によって薬粉充填室に押込んで薬粉塊としている。
【０００７】
このため、薬粉の性質、使用環境（湿度等）によっては、薬粉充填室内で薬粉塊が凝集し易くなり、吸入時に薬粉充填室に充填された薬粉塊を確実に破砕、分散することができない場合がある。この場合には、薬粉塊の一部が薬粉充填室内に残ったり、分散が不十分なために吸入途中で落下してしまい、規定量の薬粉を肺内に供給できなくなるという問題がある。
【０００８】
本発明は上述した従来技術の問題に鑑みなされたもので、本発明の目的は、薬粉充填室内の薬粉塊を破砕、分散し易くすることにより、規定量の薬粉を患者に投与することができるようにした投薬器を提供することにある。
【０００９】
【課題を解決するための手段】
本発明の投薬器は、薬粉を投与するために薬粉通路が形成された投薬器本体と、該投薬器本体に設けられ、１回分の薬粉を充填する薬粉充填室と、該薬粉充填室に１回分の薬粉を圧縮した状態に押込む薬粉押込み手段と、該薬粉押込み手段によって薬粉充填室に押込まれた薬粉塊を前記投薬器本体の薬粉通路に分配するように切換える切換手段とからなる。
【００１０】
そして、上述した課題を解決するために、請求項１の発明が採用する構成の特徴は、前記薬粉収容室には、前記薬粉充填室に押込まれた一回分の薬粉塊内に空隙を形成するブロック体を設け、前記ブロック体は、前記薬粉収容室のほぼ中央に配設されたブロック本体と、該ブロック本体を前記薬粉収容室内に固定するリブとから構成したことにある。
【００１１】
このように構成したことにより、薬粉収容室内に収容された薬粉を薬粉押込み手段によって薬粉充填室側に押動すると、薬粉収容室内のほぼ中央に設けられたブロック本体が薬粉の移動を部分的に規制するから、薬粉充填室に押込まれた薬粉塊内には、前記ブロック本体の下流側に位置して該ブロック本体の形状に対応した空隙が形成される。これにより、薬粉塊は空隙によって破砕し易くなるから、例えば、息の吸込み等によって薬粉通路に空気を流通させることにより、薬粉充填室に充填された薬粉塊を確実に破砕、分散させ、一回分の薬粉の全量を肺内に吸入することができる。
【００１４】
請求項２の発明は、リブは、該リブを通過した薬粉を当該リブの下流側に回り込ませるために、薬粉充填室との間に離間寸法をもって配置したことにある。
【００１５】
これにより、薬粉押込み手段によって押動された薬粉は、リブを通過するときに２つの流れに別れるが、リブは薬粉充填室から離間しているから、薬粉はリブを通過後に該リブの下流側に回り込んだ状態で薬粉充填室内に押込まれる。従って、薬粉充填室内に充填された薬粉塊は、外周側が薬粉充填室の内周に沿って連続的に充填され、内周側にブロック本体による空隙が形成されるから、この薬粉塊を空気によって容易に破砕でき、かつ投薬器を様々な方向に傾けた場合でも、薬粉充填室内の薬粉塊が自重によって落下するのを防止できる。
【００１６】
請求項３の発明は、ブロック本体は多角形状に形成し、当該多角形状をなしたブロック本体の角隅部にリブを取付ける構成としたことにある。これにより、薬粉充填室に充填された薬粉塊内には、多角形状をなしたブロック本体の角隅部に対応する空隙が形成されるから、該空隙に脆弱な角隅部が形成され、薬粉充填室に充填された薬粉塊をこの角隅部から破砕、分散させることができる。
【００１７】
【発明の実施の形態】
以下、本発明の実施の形態による投薬器として吸入式投薬器を例に挙げ、添付図面に従って詳細に説明する。
【００１８】
まず、図１ないし図１０は本発明の第１の実施例を示すに、１は吸入式投薬器の基部をなす投薬器本体で、該投薬器本体１は、後述するボディ３および吸入口４からなる吸引ピース２と、該ボディ３内に設けられた通路部材５とから構成されている。
【００１９】
３は吸引ピース２を構成するボディで、該ボディ３には着脱可能に吸入口４が螺着され、該ボディ３の外周側には後述のホッパ１５が径方向外向きに突設されている。また、ボディ３には、図２に示す如く、ホッパ１５から９０度ずらした側方位置に挿嵌穴３Ａが形成され、該挿嵌穴３Ａはボディ３の周壁に開口し、後述する切換筒体１２が回転可能に挿嵌されている。
【００２０】
５はボディ３内に挿着された通路部材、６は該通路部材５の中央部に位置して軸方向に形成された薬粉通路で、該薬粉通路６の一端側には外部に開口する２本の流入側通路７，７が形成され、他端側には吸入口４側に開口する２本の流出側通路８，８が形成されている。また、薬粉通路６の他端面は薬粉衝突面６Ａとなり、該薬粉衝突面６Ａは、薬粉通路６を流通する薬粉を衝突させて微粒化を図るものである。
【００２１】
９，９は各流入側通路７と流出側通路８に対し９０度ずらした位置で通路部材５を軸方向に貫通するように穿設された２本の補助通気路（図２中に図示）で、該補助通気路９は、息を吸込むときに流通する空気の流量を増やすことによってこのときの息苦しさを解消している。
【００２２】
１０はボディ３の挿嵌穴３Ａと同軸となるように通路部材５の径方向に形成された環状凹溝で、該環状凹溝１０は薬粉通路６と左側の補助通気路９を貫く位置まで形成され、該環状凹溝１０内には後述する切換筒体１２の筒部１２Ｂが回転可能に嵌合されている。
【００２３】
１１は環状凹溝１０に直交するように通路部材５に形成された薬粉収容穴で、該薬粉収容穴１１は薬粉通路６の軸線上に位置して該薬粉通路６と同一穴径で形成されている。そして、薬粉収容穴１１は、後述する薬粉収容穴１５Ａと共に薬粉収容室１６を構成しており、その内部には後述するブロック体１８が設けられている。
【００２４】
１２はボディ３、通路部材５に亘って設けられた切換手段をなす切換筒体で、該切換筒体１２は、ボディ３の挿嵌穴３Ａ内に挿嵌された中実部１２Ａと、該中実部１２Ａの外周側から伸長し環状凹溝１０内に粉体密に嵌合された筒部１２Ｂとから大略構成され、前記中実部１２Ａの突出端側は当該切換筒体１２を回転操作するためのダイヤル部１２Ｃとなっている。
【００２５】
そして、切換筒体１２は、ダイヤル部１２Ｃを９０度回転させることにより後述する薬粉充填穴１３を薬粉通路６または薬粉収容穴１１に連通させるように切替えるものである。
【００２６】
１３，１３は切換筒体１２の筒部１２Ｂを径方向に貫通するように形成された薬粉充填室をなす２個の薬粉充填穴で、該各薬粉充填穴１３は、薬粉通路６と薬粉収容穴１１とに選択的に連通するもので、該薬粉通路６、薬粉収容穴１１と同一穴径に形成されている。そして、薬粉充填穴１３内には１回の投薬に必要な薬粉塊が加圧状態に押込まれる。
【００２７】
１４はボディ３から径方向に突出するように設けられた薬粉押込み手段をなす薬粉押込み機構で、該薬粉押込み機構１４は、後述するホッパ１５、プッシャ１７等から構成されている。そして、薬粉押込み機構１４は、薬粉収容穴１１内に収容された薬粉を薬粉充填穴１３内に押込むことにより、１個の薬粉塊を圧縮成形するものである。
【００２８】
１５はボディ３の外周から径方向外向きに突出した円筒状のホッパで、該ホッパ１５の内周側は、薬粉収容穴１１と同一穴径の薬粉収容穴１５Ａとなり、該薬粉収容穴１５Ａは薬粉収容穴１１と共に薬粉収容室１６を構成している。そして、薬粉収容室１６内には複数回分の薬粉を収容することができる。
【００２９】
１７は押圧部材をなすプッシャで、該プッシャ１７は、ホッパ１５の薬粉収容穴１５Ａ内に螺着され、外部に突出したダイヤル部１７Ａを回転させることにより、薬粉収容室１６内の薬粉を薬粉充填穴１３に向けて押動し、該薬粉充填穴１３内に圧縮した状態に押込むものである。
【００３０】
次に、１８は薬粉収容穴１１内に設けられたブロック体で、該ブロック体１８は、図３に示すように、後述する四角ブロック１９、リブ２０から構成されている。
【００３１】
１９は薬粉収容穴１１の中央に配設されたブロック本体となる四角ブロックで、該四角ブロック１９は、図４、図５に示す如く、十字形柱状または四つ菱柱状に形成され、薬粉収容穴１１の内面に向けて突出する４個の角隅部１９Ａ，１９Ａ，…を有している。また、四角ブロック１９の下端側は切換筒体１２の筒部１２Ｂに向けて延び、その下端面は図３、図５に示すように該筒部１２Ｂの外面に沿う円弧面１９Ｂをなしている。
【００３２】
２０，２０，…は薬粉収容穴１１と四角ブロック１９との間に設けられた４本のリブで、該各リブ２０は、一端側が四角ブロック１９の角隅部１９Ａ上側寄りに固着され、他端側が放射状に延びて薬粉収容穴１１の内壁に一体的に固着されている。これにより、リブ２０は四角ブロック１９を薬粉収容穴１１の中央に位置決め状態で固定している。
【００３３】
また、リブ２０は、図６に示すように、薬粉収容穴１１の軸方向に延びる断面長円形状に形成され、これにより、リブ２０を通過する薬粉が矢示の如く該リブ２０の下流側に回り込み易くしている。さらに、図３、図５に示すようにリブ２０と切換筒体１２の筒部１２Ｂ（薬粉充填穴１３）との間は離間寸法Ｌをもって離間しており、この離間寸法Ｌは、薬粉収容室１６内を薬粉充填穴１３に向けて押動される薬粉が、リブ２０を通過した後に、該リブ２０の下流側に十分に回り込める寸法に設定されている。
【００３４】
そして、このように構成されたブロック体１８は、薬粉が薬粉収容室１６内を薬粉充填穴１３に向けて押動されたときに、四角ブロック１９によって薬粉の移動を部分的に規制することにより、図８に示すように、薬粉充填穴１３に充填された薬粉塊２１の中央に四角ブロック１９によって空隙２２を形成するものである。
【００３５】
ここで、前記空隙２２は、四角ブロック１９の形状に相当する四つ菱形状をなしており、角隅部１９Ａに対応する角隅部２２Ａが形成されている。これにより、空隙２２は、薬粉充填穴１３内の薬粉塊２１を角隅部２２Ａによって部分的に脆弱にし、薬粉通路６を流通する空気により容易に破砕、分散できるようにしている。
【００３６】
また、薬粉充填穴１３に薬粉を押込むときには、リブ２０によって薬粉が２つの流れに別れる。しかし、リブ２０を断面長円形状に形成し、かつリブ２０と薬粉充填穴１３との間を離間寸法Ｌをもって離間させることにより、該リブ２０の下流側に薬粉を回り込ませることができる。これにより、薬粉充填穴１３内に押込められた薬粉塊２１は、その外周側が薬粉充填穴１３の内周に沿って連続的に充填された状態となるから、投薬器を様々な方向に傾けた場合でも、薬粉充填穴１３内からの落下が防止されている。
【００３７】
本実施例による吸入式投薬器は上述の如き構成を有するもので、次に、患者が薬粉を吸入するまでの準備動作および吸入時の空気と薬粉の流れについて説明する。
【００３８】
まず、薬粉収容室１６内に収容された薬粉を薬粉充填穴１３内に充填する場合の動作について説明する。この場合には、ダイヤル部１２Ｃを介して切換筒体１２を回転させ、薬粉充填穴１３を薬粉収容室１６に連通させる。この状態でプッシャ１７を所定の角度だけ回転させることにより、図７に示すように、薬粉収容室１６内の薬粉を薬粉充填穴１３側に向けて移動させ、該薬粉充填穴１３内に１回の投薬に必要な薬粉を充填し、薬粉塊２１を形成する。
【００３９】
ここで、上述した薬粉の充填時には、薬粉収容室１６の下流側に位置する薬粉収容穴１１内にブロック体１８が設けられているから、図８に示すように、該ブロック体１８の四角ブロック１９によって薬粉充填穴１３内に充填された薬粉塊２１の中央に四つ菱形状の空隙２２が形成される。
【００４０】
このようにして、薬粉充填穴１３内に１回分の薬粉塊２１を形成したら、切換筒体１２を右側に９０度回転させ、図９に示すように、薬粉充填穴１３（薬粉塊２１）を薬粉通路６に配置する。このときには、薬粉充填穴１３内の薬粉塊２１は環状凹溝１０の内面ですり切られるから、薬粉通路６側に正確に１回分の薬粉を分配することができる。
【００４１】
次に、患者が薬粉を吸込むときの投薬器内の空気と薬粉の流れについて図１０を参照して説明する。
【００４２】
まず、薬粉を吸入させるためには吸入口４の他端側を患者にくわえさせる必要があるが、例えば、患者が寝たまま状態で吸入口４をくわえた場合、投薬器が大きく傾いた状態となる。
【００４３】
しかし、本実施例では、薬粉充填穴１３内に充填された薬粉塊２１の外周側を該薬粉充填穴１３の内壁に沿って連続的に充填しているから、投薬器を傾けた状態で使用する場合でも、薬粉充填穴１３内の薬粉塊２１が自重によって落下するのを防止でき、寝たままの状態での使用が可能となっている。
【００４４】
そこで、患者は吸入口４の他端側をくわえ、この状態で息を吸込む。これにより、各流入側通路７から薬粉通路６内に流入する空気によって薬粉充填穴１３内に充填された薬粉塊２１を破砕、分散する。
【００４５】
このときには、薬粉塊２１内に四角ブロック１９によって四つ菱形状の空隙２２を形成しているから、この薬粉塊２１は、空隙２２の角隅部２２Ａの位置で脆弱となっており、薬粉通路６を流通する空気により確実に破砕、分散する。
【００４６】
そして、分散した薬粉は空気に混入した状態で各流出側通路８側に流通する。この際、薬粉は薬粉通路６を流通して薬粉衝突面６Ａに衝突するから、一部に塊として残った薬粉もこの衝突によって微粒化することができる。
【００４７】
そして、薬粉を含んだ空気は、各流出側通路８を介して吸入口４側に放出され、該吸入口４から患者の口内、気管を介して肺内に吸入される。
【００４８】
一方、次の投薬作業を行うときには、切換筒体１２を左側に９０度回転させて薬粉充填穴１３を薬粉収容室１６側に戻し、該薬粉充填穴１３への薬粉充填作業以降の作業を繰返すことにより薬粉を繰返して吸入することができる。
【００４９】
かくして、本実施例によれば、ブロック体１８によって薬粉充填穴１３に充填された薬粉塊２１内に空隙２２を形成し、薬粉通路６を流通する空気によって薬粉塊２１を破砕し易くすることができるから、薬粉塊２１が凝集し易い場合でも、該薬粉塊２１を確実に破砕、分散することができ、規定量の薬粉を肺内に到達させて、薬粉の効能を高めることができる。
【００５０】
しかも、角隅部１９Ａを有する四角ブロック１９によって角隅部２２Ａを有する四つ菱形状の空隙２２を薬粉塊２１に形成し、この角隅部２２Ａによって薬粉塊２１をより一層破砕し易くすることができるから、お年寄りや子供のように肺活量（吸引力）が小さい場合でも、薬粉塊２１を破砕、分散して効率よく吸入することができる。
【００５１】
また、四角ブロック１９を支持しているリブ２０を断面長円形状に形成し、薬粉充填穴１３から寸法Ｌだけ離間させているから、薬粉をリブ２０の下流側に回り込ませ、薬粉充填穴１３内に充填された薬粉塊２１の外周側を該薬粉充填穴１３の内周に沿って連続的に充填することができ、投薬器を様々な方向に傾けた場合でも、薬粉充填穴１３内から薬粉塊２１が自重によって落下するのを防止でき、例えば寝たままの患者への投薬を可能にして、当該吸入式投薬器の使用範囲を広めることができる。
【００５２】
次に、図１１ないし図１３は本発明の第２の実施例を示すに、本実施例の特徴は、ブロック体のブロック本体を三角柱状に形成したことにある。なお、本実施例では、前述した第１の実施例と同一の構成要素に同一の符号を付し、その説明を省略するものとする。
【００５３】
３１は薬粉収容穴１１内に設けられた本実施例によるブロック体で、該ブロック体３１は、後述する三角ブロック３２、リブ３３から構成されている。
【００５４】
３２は薬粉収容穴１１の中央に配設されたブロック本体となる三角ブロックで、該三角ブロック３２はほぼ三角柱状に形成され、径方向外向きに３個の角隅部３２Ａ，３２Ａ，…を有している。
【００５５】
３３，３３，…は薬粉収容穴１１と三角ブロック３２との間に設けられた３本のリブで、該各リブ３３は、一端側が三角ブロック３２の角隅部３２Ａ上側寄りに固着され、他端側が薬粉収容穴１１の内壁に一体的に固着されている。これにより、リブ３３は三角ブロック３２を薬粉収容穴１１の中央に位置決め状態で固定している。また、リブ３３は、図１２に示すように、その断面形状が小径の円形状をなし、これにより、リブ３３を通過する薬粉が矢示の如く該リブ３３の下流側に回り込み易くしている。さらに、リブ３３は、前記第１の実施例によるリブ２０と同様に、薬粉充填穴１３との間に所定の離間寸法を有している。
【００５６】
そして、このように構成されたブロック体３１は、図１３に示す如く、三角ブロック３２によって薬粉充填穴１３に充填された薬粉塊３４の中央に角隅部３５Ａを有する三角形状の空隙３５を形成するものである。
【００５７】
また、リブ３３を小径の断面円形状に形成し、かつ該リブ３３と薬粉充填穴１３との間に所定の離間寸法を有しているから、該リブ３３の下流側に薬粉を回り込ませることができる。
【００５８】
かくして、このように構成された本実施例においても、前述した第１の実施例とほぼ同様の作用効果を得ることができる。
【００５９】
次に、図１４および図１５は本発明の第３の実施例を示すに、本実施例の特徴は、ブロック体のブロック本体を円柱状に形成したことにある。なお、本実施例では、前述した第１の実施例と同一の構成要素に同一の符号を付し、その説明を省略するものとする。
【００６０】
４１は薬粉収容穴１１内に設けられた本実施例によるブロック体で、該ブロック体４１は、薬粉収容穴１１の中央に配設されたブロック本体となる円柱状の円形ブロック４２と、該円形ブロック４２を薬粉収容穴１１の中央に位置決め状態で固定した２本のリブ４３，４３とから構成されている。
【００６１】
そして、このように構成されたブロック体４１は、図１５に示す如く、円形ブロック４２によって薬粉充填穴１３に充填された薬粉塊４４の中央に円形の空隙４５を形成するものである。
【００６２】
かくして、このように構成された本実施例においても、前述した第１の実施例とほぼ同様の作用効果を得ることができる。
【００６３】
なお、第１の実施例ではブロック本体として四角ブロック１９を、第２の実施例では三角ブロック３２を、第３の実施例では円形ブロック４２をそれぞれ例示したが、本発明はこれに限らず、例えばブロック本体として五角形、楕円等の他の形状を有するブロックを用いてもよい。
【００６４】
また、第１の実施例では四角ブロック１９を４本のリブ２０で支持し、第２の実施例では三角ブロック３２を３本のリブ３３で支持し、第３の実施例では円形ブロック４２を２本のリブ４３で支持した場合を例に挙げて説明したが、リブの本数はブロックの形状に応じて適宜設定されるもので、各実施例の本数に限るものではない。
【００６５】
さらに、各実施例では、薬粉押込み手段としてプッシャ１７をねじ込むことにより薬粉収容室１６内の薬粉を薬粉充填室１３に向けて押動する薬粉押込み機構１４を例示したが、本発明はこれに限ることなく、例えば、前記プッシャ１７に代えて、ばね部材によって薬粉充填穴側に向けて付勢されたピストンを薬粉収容室内に設け、該ピストンで薬粉収容室内の薬粉を薬粉充填穴に向けて自動的に押動する薬粉押込み機構としてもよい。
【００６６】
また、各実施例では、切換手段として円筒状の切換筒体１２に薬粉充填穴１３を形成し、該切換筒体１２を回転させて切替える構成とした場合を例に挙げて説明したが、これに替えて、例えば、板状の切換板体に薬粉充填穴を形成し、該切換板体をスライドさせることによって切替える構成としてもよい。
【００６７】
一方、各実施例では、投薬器として口でくわえて薬粉を吸入する吸入式投薬器を例に挙げて説明したが、本発明はこれに限らず、例えば鼻腔から薬粉を吸入する投薬器に適用してもよい。
【００６８】
【発明の効果】
以上詳述した如く、請求項１の発明によれば、薬粉収容室内に収容された薬粉を薬粉押込み手段によって薬粉充填室側に押動して押込むと、薬粉収容室内のほぼ中央に設けられたブロック本体が薬粉の移動を部分的に規制するから、該薬粉充填室に押込まれた薬粉塊内にブロック本体の下流側に位置して該ブロック本体の形状に対応した空隙を形成することができ、薬粉塊を空隙によって破砕し易くすることができる。これにより、例えば、息の吸込み等によって薬粉通路に空気を流通させることにより、薬粉充填室に充填された薬粉塊の全量を確実に破砕、分散して薬粉の吸入効率を高めることができ、規定量の薬粉を肺内に到達させて薬粉の効能を高めることができる。
【００７０】
請求項２の発明によれば、薬粉押込み手段によって押動された薬粉がリブを通過するときに２つの流れに別れるが、リブを薬粉充填室から離間させているから、リブを通過後に該リブの下流側に回り込んだ状態で薬粉充填室内に薬粉を押込むことができる。従って、薬粉充填室内に充填された薬粉塊は、外周側が薬粉充填室の内周に沿って連続的に充填され、内周側にブロック本体による空隙が形成されるから、この薬粉塊を空気によって容易に破砕でき、かつ投薬器を様々な方向に傾けた場合でも、薬粉充填室内の薬粉塊が自重によって落下するのを防止でき、投薬時に患者の身体を起こすことなく寝たままの状態で投薬することができる。
【００７１】
請求項３の発明によれば、薬粉充填室に充填された薬粉塊内に多角形をなしたブロック本体の角隅部に対応する空隙を形成しているから、薬粉充填室に充填された薬粉塊を脆弱な空隙の角隅部から効率よく破砕、分散することができ、薬粉を微粒化することができる。
【図面の簡単な説明】
【図１】本発明の第１の実施例による吸入式投薬器を示す断面図である。
【図２】図１中の矢示ＩＩ−ＩＩ方向からみた断面図である。
【図３】図１中のブロック体をボディ、通路部材、切換筒体等と共に拡大して示す要部拡大断面図である。
【図４】ブロック体を図３中の矢示ＩＶ−ＩＶ方向から示す断面図である。
【図５】ブロック体をボディ、切換筒体と共に拡大して示す一部破断の外観斜視図である。
【図６】リブを示す図５中の矢示ＶＩ−ＶＩ方向からみた拡大断面図である。
【図７】薬粉押込み機構によって薬粉充填穴に薬粉を押込んだ状態を示す要部拡大断面図である。
【図８】空隙が形成された薬粉塊を切換筒体と共に示す図７中の矢示ＶＩＩＩ−ＶＩＩＩ方向からみた断面図である。
【図９】薬粉充填穴に充填された薬粉塊を切換筒体によって薬粉通路側に切換えた状態を示す要部拡大断面図である。
【図１０】薬粉充填穴内の薬粉塊を破砕、分散して吸入している状態を示す吸入式投薬器の断面図である。
【図１１】本発明の第２の実施例によるブロック体を示す断面図である。
【図１２】リブを示す図１１中の矢示  ＸＩＩ−ＸＩＩ  方向からみた拡大断面図である。
【図１３】空隙が形成された薬粉塊を切換筒体と共に示す断面図である。
【図１４】本発明の第３の実施例によるブロック体を示す断面図である。
【図１５】空隙が形成された薬粉塊を切換筒体と共に示す断面図である。
【符号の説明】
１  投薬器本体
５  通路部材
６  薬粉通路
１２  切換筒体（切換手段）
１３  薬粉充填穴（薬粉充填室）
１４  薬粉押込み機構（薬粉押込み手段）
１６  薬粉収容室
１８，３１，４１  ブロック体
１９  四角ブロック（ブロック本体）
１９Ａ，３２Ａ  角隅部
２０，３３，４３  リブ
２１，３４，４４  薬粉塊
２２，３５，４５  空隙
２２Ａ，３５Ａ  角隅部
３２  三角ブロック（ブロック本体）
４２  円形ブロック（ブロック本体）
Ｌ  離間寸法
【図１】
0003547584.tif 000002
【図２】
0003547584.tif 000003
【図３】
0003547584.tif 000004
【図４】
0003547584.tif 000005
【図５】
0003547584.tif 000006
【図６】
0003547584.tif 000007
【図７】
0003547584.tif 000008
【図８】
0003547584.tif 000009
【図９】
0003547584.tif 000010
【図１０】
0003547584.tif 000011
【図１１】
0003547584.tif 000012
【図１２】
0003547584.tif 000013
【図１３】
0003547584.tif 000014
【図１４】
0003547584.tif 000015
【図１５】
0003547584.tif 000016